(57)【要約】【課題】写真全体を立体的に見栄え良く鑑賞でき、組み立てに接着部材を使用する構成に比べて、容易に組み立てることができる写真立て用シート及び写真立てを提供する。【解決手段】第１方向と前記第１方向と直交し前記第１方向よりも長い第２方向からなる矩形のシートであって、窓用部を有し、第１方向の方が長い長方形からなる枠部と、枠部に続けて形成され、組み立てた状態で接地面に対して自立可能となる立て部と、立て部に続けて形成され、第２方向の寸法が、枠部の第２方向の寸法よりも長い写真部と、を有する。【選択図】図２
2019187568.tif 000002
【特許請求の範囲】
【請求項１】
第１方向と前記第１方向と直交し前記第１方向よりも長い第２方向からなる矩形のシートであって、
窓用部を有し、前記第１方向の方が長い長方形からなる枠部と、
前記枠部に続けて形成され、組み立てた状態で接地面に対して自立可能となる立て部と、
前記立て部に続けて形成され、前記第２方向の寸法が、前記枠部の第２方向の寸法よりも長い写真部と、を有する、
ことを特徴とする写真立て用シート。
【請求項２】
前記写真部の前記第２方向の寸法をＡ、
前記枠部の前記第２方向の寸法をＢ、として、
１．０１＜Ａ／Ｂ＜１．２
である、
ことを特徴とする請求項１に記載の写真立て用シート。
【請求項３】
前記シートは、用紙本体が接着層を介して表面用紙及び裏面用紙が積層された貼り合わせ用紙であり、裏面からハーフカットされ折り曲げ可能な複数の折り部と、表面から裏面に貫通するスリット部と、が形成されている、
ことを特徴とする請求項１に記載の写真立て用シート。
【請求項４】
前記スリット部が前記窓用部を形成している、
ことを特徴とする請求項２に記載の写真立て用シート。
【請求項５】
前記立て部のうち、前記枠部よりも前記写真部に近いほうに配置された前記スリット部と、前記枠部の前記立て部とは反対側に続けて形成され、組み立てた際に、前記スリット部に差し込まれる差込部と、を有する、
ことを特徴とする請求項２に記載の写真立て用シート。
【請求項６】
前記立て部のうち、前記枠部よりも前記写真部に近いほうに形成され折り曲げて組み立てた際に前記窓用部を接地面に対して略垂直にして自立させる第１の平面部を形成する第１の折り部と、前記枠部と前記写真部のいずれからも略等しい距離の位置に形成され折り曲げて組み立てた際に前記窓用部を接地面に対して斜め上向きにして自立させる第２の平面部を形成する第２の折り部と、を有する、
ことを特徴とする請求項２に記載の写真立て用シート。
【請求項７】
表面から裏面に貫通する分離可能なミシン目が形成されている、
ことを特徴とする請求項１ないし６のいずれか１項に記載の写真立て用シート。
【請求項８】
前記写真部には、印刷される写真の領域に沿って前記ミシン目が形成されている、
ことを特徴とする請求項７に記載の写真立て用シート。
【請求項９】
前記写真部の両端側には、前記スリット部が形成されている、
ことを特徴とする請求項７又は８に記載の写真立て用シート。
【請求項１０】
窓用部を有する枠部と、
組み立てた状態で前記窓用部に対して凹面状に湾曲して保持された写真部と、
組み立てた状態で接地面に対して自立可能となる立て部と、が折り曲げ可能な請求項１ないし９のいずれか１項に記載のシートからなる、
ことを特徴とする写真立て。
【請求項１１】
前記枠部は、前記写真部が外部に繋がる開口を有する、
ことを特徴とする請求項１０に記載の写真立て。
【請求項１２】
前記開口は、前記写真部が縦姿勢で観賞すべき縦姿勢用画像である場合、前記枠部の上方に形成され、前記写真部が横姿勢で観賞すべき横姿勢用画像である場合、前記枠部の側方の両方に形成されている、
ことを特徴とする請求項１１に記載の写真立て。
【請求項１３】
前記開口は、前記窓用部を有し一端に突出部を有する第１の平面部と、前記第１の平面部と交差する２以上の第２の平面部とで形成され、前記第１の平面部の前記突出部を有する底辺と、前記第２の平面部の底辺とを接地部として前記窓用部を接地面に対して斜め上向きにして自立させる第１の開口と、前記第１の平面部の前記突出部を有しない底辺と、前記第２の変面部の他の底辺とを接地部として前記窓用部を接地面に対して略垂直にして自立させる第２の開口と、からなる、
ことを特徴とする請求項１１に記載の写真立て。
【請求項１４】
前記立て部は、前記窓用部を接地面に対して略垂直にして自立させる第１の平面部と、前記窓用部を接地面に対して斜め上向きにして自立させる第２の平面部のいずれかの平面部を有する、
ことを特徴とする請求項１０に記載の写真立て。
【請求項１５】
請求項１ないし９のいずれか１項に記載の写真立て用シートにおいて、前記写真部に画像を割り付ける印刷装置であって、
使用すべき写真と、前記写真部における前記画像の配置方向とからなる写真情報を記憶する記憶手段と、
操作者により操作されて、前記記憶手段から指定された前記写真情報を選択し、選択した前記写真情報に基づき前記写真部に前記写真を割り付ける割付手段と、を備え、
前記割付手段は、前記操作者の指示を受け付けて、前記写真部に前記画像を横姿勢で観賞すべき横姿勢用画像、前記窓用部を接地面に対して略垂直にして自立させて縦姿勢で観賞すべき第１の縦姿勢用画像、前記窓用部を接地面に対して斜め上向きにして自立させて縦姿勢で観賞すべき第２の縦姿勢用画像、のいずれかの姿勢で割り付ける、
ことを特徴とする印刷装置。
【請求項１６】
前記シートが切り取り可能に配置された前記貼り合わせ用紙を給送する給送手段と、
前記画像を前記写真部に印刷する画像形成手段と、を更に備えた、
ことを特徴とする請求項１５に記載の印刷装置。
【発明の詳細な説明】
【技術分野】
【０００１】
本発明は、写真立て用シート、写真立て及び印刷装置に関する。
【背景技術】
【０００２】
写真表示用の窓穴が穿設された前面板部の左右両側部分から後方に延出した左右の側面板部の後端部に、平板な写真の左右の各端部をそれぞれ係止することで該写真を凸面状に湾曲した状態で保持する係止手段を設け、これら左右の係止手段は、互いに平板な写真の横寸法より狭小に離間して配置されており、上記の前面板部と左右の側面板部と左右の係止手段とが一体的に成形された立体写真立てが知られている（特許文献１）。
【０００３】
表面に写真、絵画などの画像を、プリンターで印刷可能な矩形の印刷領域本体と、印刷領域本体の四辺にそれぞれ連設されたフラップとからなる１枚のプリンター用紙で構成され、各フラップは、フラップが連設された印刷領域本体の一辺に平行な少なくとも３本の折り曲げ線を有し、折り曲げ線に沿って折り曲げられることにより中空の枠部が形成されるとともに、枠部に折り曲げられた状態で隣り合う枠部に係止する係止部を有し、相互に係止することにより固定される枠部で、印刷領域本体の周囲が囲われる印字機能付き額縁も知られている（特許文献２）。
【先行技術文献】
【特許文献】
【０００４】
【特許文献１】特開平８−３１７８４３号公報
【特許文献２】特開２００６−５５２１５号公報
【発明の概要】
【発明が解決しようとする課題】
【０００５】
本発明は、写真全体を立体的に見栄え良く鑑賞でき、組み立てに接着部材を使用する構成に比べて、容易に組み立てることができる写真立て用シート及び写真立てを提供する。
【課題を解決するための手段】
【０００６】
前記課題を解決するために、請求項１に記載の写真立てシートは、
第１方向と前記第１方向と直交し前記第１方向よりも長い第２方向からなる矩形のシートであって、
窓用部を有し、前記第１方向の方が長い長方形からなる枠部と、
前記枠部に続けて形成され、組み立てた状態で接地面に対して自立可能となる立て部と、
前記立て部に続けて形成され、前記第２方向の寸法が、前記枠部の第２方向の寸法よりも長い写真部と、を有する、
ことを特徴とする。
【０００７】
請求項２記載の発明は、請求項１に記載の写真立てシートにおいて、
前記写真部の前記第２方向の寸法をＡ、
前記枠部の前記第２方向の寸法をＢ、として、
１．０１＜Ａ／Ｂ＜１．２
である、
ことを特徴とする。
【０００８】
請求項３記載の発明は、請求項２に記載の写真立てシートにおいて、
前記シートは、用紙本体が接着層を介して表面用紙及び裏面用紙が積層された貼り合わせ用紙であり、裏面からハーフカットされ折り曲げ可能な複数の折り部と、表面から裏面に貫通するスリット部と、が形成されている、
ことを特徴とする。
【０００９】
請求項４記載の発明は、請求項２に記載の写真立てシートにおいて、
前記スリット部が前記窓用部を形成している、
ことを特徴とする。
【００１０】
請求項５記載の発明は、請求項２に記載の写真立てシートにおいて、
前記立て部のうち、前記枠部よりも前記写真部に近いほうに配置された前記スリット部と、前記枠部の前記立て部とは反対側に続けて形成され、組み立てた際に、前記スリット部に差し込まれる差込部と、を有する、
ことを特徴とする。
【００１１】
請求項６記載の発明は、請求項２に記載の写真立てシートにおいて、
前記立て部のうち、前記枠部よりも前記写真部に近いほうに形成され折り曲げて組み立てた際に前記窓用部を接地面に対して略垂直にして自立させる第１の平面部を形成する第１の折り部と、前記枠部と前記写真部のいずれからも略等しい距離の位置に形成され折り曲げて組み立てた際に前記窓用部を接地面に対して斜め上向きにして自立させる第２の平面部を形成する第２の折り部と、を有する、
ことを特徴とする。
【００１２】
請求項７記載の発明は、請求項１ないし６のいずれか１項に記載の写真立てシートにおいて、
表面から裏面に貫通する分離可能なミシン目が形成されている、
ことを特徴とする。
【００１３】
請求項８記載の発明は、請求項７に記載の写真立てシートにおいて、
前記写真部には、印刷される写真の領域に沿って前記ミシン目が形成されている、
ことを特徴とする。
【００１４】
請求項９記載の発明は、請求項７又は８に記載の写真立てシートにおいて、
前記写真部の両端側には、前記スリット部が形成されている、
ことを特徴とする。
【００１５】
前記課題を解決するために、請求項１０記載の写真立ては、
窓用部を有する枠部と、
組み立てた状態で前記窓用部に対して凹面状に湾曲して保持された写真部と、
組み立てた状態で接地面に対して自立可能となる立て部と、が折り曲げ可能な請求項１ないし９のいずれか１項に記載のシートからなる、
ことを特徴とする。
【００１６】
請求項１１記載の発明は、請求項１０に記載の写真立てにおいて、
前記枠部は、前記写真部が外部に繋がる開口を有する、
ことを特徴とする。
【００１７】
請求項１２記載の発明は、請求項１１に記載の写真立てにおいて、
前記開口は、前記写真部が縦姿勢で観賞すべき縦姿勢用画像である場合、前記枠部の上方に形成され、前記写真部が横姿勢で観賞すべき横姿勢用画像である場合、前記枠部の側方の両方に形成されている、
ことを特徴とする。
【００１８】
請求項１３記載の発明は、請求項１１に記載の写真立てにおいて、
前記開口は、前記窓用部を有し一端に突出部を有する第１の平面部と、前記第１の平面部と交差する２以上の第２の平面部とで形成され、前記第１の平面部の前記突出部を有する底辺と、前記第２の平面部の底辺とを接地部として前記窓用部を接地面に対して斜め上向きにして自立させる第１の開口と、前記第１の平面部の前記突出部を有しない底辺と、前記第２の変面部の他の底辺とを接地部として前記窓用部を接地面に対して略垂直にして自立させる第２の開口と、からなる、
ことを特徴とする。
【００１９】
請求項１４記載の発明は、請求項１０に記載の写真立てにおいて、
前記立て部は、前記窓用部を接地面に対して略垂直にして自立させる第１の平面部と、前記窓用部を接地面に対して斜め上向きにして自立させる第２の平面部のいずれかの平面部を有する、
ことを特徴とする。
【００２０】
前記課題を解決するために、請求項１５記載の印刷装置は、
請求項１ないし９のいずれか１項に記載の写真立て用シートにおいて、前記写真部に画像を割り付ける印刷装置であって、
使用すべき写真と、前記写真部における前記画像の配置方向とからなる写真情報を記憶する記憶手段と、
操作者により操作されて、前記記憶手段から指定された前記写真情報を選択し、選択した前記写真情報に基づき前記写真部に前記写真を割り付ける割付手段と、を備え、
前記割付手段は、前記操作者の指示を受け付けて、前記写真部に前記画像を横姿勢で観賞すべき横姿勢用画像、前記窓用部を接地面に対して略垂直にして自立させて縦姿勢で観賞すべき第１の縦姿勢用画像、前記窓用部を接地面に対して斜め上向きにして自立させて縦姿勢で観賞すべき第２の縦姿勢用画像、のいずれかの姿勢で割り付ける、
ことを特徴とする。
【００２１】
請求項１５に記載の発明は、請求項１０に記載の印刷装置において
前記シートが切り取り可能に配置された前記貼り合わせ用紙を給送する給送手段と、
前記画像を前記写真部に印刷する画像形成手段と、を更に備えた、
ことを特徴とする。
【発明の効果】
【００２２】
請求項１に記載の発明によれば、写真立てとして組み立てた状態で写真部が窓用部に対して湾曲して保持され、写真を立体的に見栄え良く鑑賞できる。
【００２３】
請求項２に記載の発明によれば、写真立てとして組み立てた状態で写真部を枠部に対して凹面状に湾曲させて配置することができる。
【００２４】
請求項３に記載の発明によれば、印刷機能を有する張り合わせ用紙から接着部材を用いることなく組み立てることができる一枚の写真立て用シートを切り取ることができる。
【００２５】
請求項４に記載の発明によれば、印刷機能を有する張り合わせ用紙から窓用部を切り取ることができる。
【００２６】
請求項５に記載の発明によれば、一枚のシートから接着部材を用いることなく写真立てを組み立てることができる。
【００２７】
請求項６に記載の発明によれば、写真立てとして組み立てた際に、横姿勢の写真の鑑賞角度を変更することができる。
【００２８】
請求項７、８に記載の発明によれば、写真部に印刷された画像を分離することができる。
【００２９】
請求項９に記載の発明によれば、印刷された写真を写真部にはめ込むことができる。
【００３０】
請求項１０に記載の発明によれば、写真全体を立体的に見栄え良く鑑賞でき、組み立てに接着部材を使用する構成に比べて、容易に組み立てることができる。
【００３１】
請求項１１に記載の発明によれば、写真部が開口を有しない構成に比べて、写真部に光が入りやすく写真が明るく見える。
【００３２】
請求項１２に記載の発明によれば、写真が横姿勢、縦姿勢のいずれであっても、写真部に光が入りやすく写真が明るく見える。
【００３３】
請求項１３に記載の発明によれば、縦姿勢の写真の鑑賞角度を変更することができる。
【００３４】
請求項１４に記載の発明によれば、横姿勢の写真の鑑賞角度を変更することができる。
【００３５】
請求項１５に記載の発明によれば、写真立ての鑑賞態様に応じて、写真部に横姿勢の写真、２種類の縦姿勢の写真のいずれかを印刷することができる。
【００３６】
請求項１６に記載の発明によれば、写真部に写真を印刷することができる。
【図面の簡単な説明】
【００３７】
【図１】本実施形態にかかる写真立て用シートの構成を示す図である。
【図２】写真立て用シートから切り離された写真立て用シート本体を示す図である。
【図３】写真立て用シートの厚み方向の層構成を示す断面模式図である。
【図４】変形例に係る写真立て用シート本体を示す図である。
【図５】横姿勢の写真立てを示す斜視図である。
【図６】横姿勢の写真立てを示す正面図である。
【図７】縦姿勢の写真立てを示す平面図である。
【図８】縦姿勢の写真立てを示す斜視図である。
【図９】縦姿勢の写真立てを示す正面図である。
【図１０】窓用部が略垂直の状態で自立する横姿勢で鑑賞する写真立てを示す側面図である。
【図１１】窓用部が斜め上向きの状態で自立する横姿勢で鑑賞する写真立てを示す側面図である。
【図１２】窓用部が斜め上向きの状態で自立する縦姿勢で鑑賞する写真立てを示す側面図である。
【図１３】窓用部が略垂直の状態で自立する縦姿勢で鑑賞する写真立てを示す側面図である。
【図１４】本実施形態に係る印刷装置の内部構成を示す断面模式図である。
【図１５】印刷装置の機能構成を示すブロック図である。
【図１６】印刷装置において写真印刷を行う動作の流れを示すフローチャートである。
【図１７】写真印刷を行う場合の操作表示部の表示例を示す図である。
【図１８】写真印刷を行う場合の動作の流れに従って操作表示部に表示される表示例を示す図である。
【図１９】取り込んだ画像データの写真立て用シートへの割り付けを示す図である。
【発明を実施するための形態】
【００３８】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００３９】
（１）写真立て用シートの構成
図１は写真立て用シートＰＳの構成を示す図、図２は写真立て用シートＰＳから切り離された写真立て用シート本体１００を示す図、図３は写真立て用シートＰＳの厚み方向の層構成を示す断面模式図である。
以下、図面を参照しながら写真立て用シートの構成について説明する。
【００４０】
写真立て用シートＰＳは、図１に示すように、印刷装置１で画像を印刷することができる用紙サイズであるＡ３サイズ（幅２９７ｍｍ×長さ４２０ｍｍ）の用紙であり、印刷装置１の用紙搬送方向と交差する方向である第１方向（図中  Ｘ方向）と、第１方向と直交し第１方向よりも長い第２方向（図中  Ｙ方向）からなる矩形の写真立て用シート本体１００が後述するスリット部１０１で切り取り可能に設けられている。
【００４１】
写真立て用シート本体１００は、図２に示すように、枠部１１０と、立て部１２０と、写真部１３０からなる。
【００４２】
枠部１１０は、窓用部１１１を有し、第１方向の方が長い長方形であり、窓用部１１１は、後述するスリット部１１２で切り取られることで、写真部１３０に印刷された写真が鑑賞可能になる。
【００４３】
立て部１２０は、枠部１１０に続けて形成され、後述するように、写真立てとして組み立てた状態で接地面ＦＬに対して自立可能となる。
【００４４】
写真部１３０は、第２方向の寸法Ａが、枠部１１０の第２方向の寸法Ｂよりも長くなるように形成されている。具体的には、図２に示すように、写真部１３０の第２方向の寸法をＡ、枠部１１０の第２方向の寸法をＢとしたときに、
１．０＜Ａ／Ｂ＜１．２
であり、これにより、写真立てとして組み立てたときに、写真部１３０が、窓用部１１１に対して凹面状に湾曲した状態になり、写真を立体的に見栄え良く鑑賞することができる。尚、Ａ／Ｂを１．０より大きくするに従い、写真部１３０の凹面状湾曲が大きくなる。
【００４５】
図３には、写真立て用シートＰＳの厚み方向の層構成を示している。写真立て用シートＰＳは、用紙本体ＰＳ１上に接着層ＡＤを介して表面紙ＰＳ２が積層された厚紙用紙である。
用紙本体ＰＳ１は、１５０〜２５０ｇｓｍの高白色度の厚紙であり、通常のカラー画像形成装置で使用されるカラー印刷用用紙が好適に使用できる。表面紙ＰＳ２は、厚み３０〜４０μｍの白色不透明のポリエステル系二軸延伸フィルムからなり、屈曲性と打ち抜き適性を有している。
【００４６】
写真立て用シートＰＳには、図３に模式的に示すように、裏面からハーフカットされ折り曲げ可能な複数の折り部ＰＳａと、表面及び裏面にハーフカットされた切り取り可能なスリット部ＰＳｂが形成されている。
このように構成される写真立て用シートＰＳに対して、写真立て用シート本体１００は、図１に示すように、写真立て用シートＰＳに対して、スリット部１０１で区画されて写真立て用シートＰＳからスリット部１０１によって切り取り可能に設けられている。
【００４７】
写真立て用シート本体１００の枠部１１０には、窓用部１１１を区画するスリット部１１２が設けられて、窓用部１１１はスリット部１１２で写真立て用シート本体１００から切り離すことで形成される。
【００４８】
図２に示すように、枠部１１０の立て部１２０とは反対側には、第１折り部１１３を介して枠部１１０に続けて差込部１１５が形成されている。そして、立て部１２０のうち、枠部１１０よりも写真部１３０に近いほうには、写真立て用シート本体１００の表面から裏面に貫通するスリット部１２１が形成されている。立て部１２０に形成されたスリット部１２１には、枠部１１０に続けて形成された差込部１１５が第１折り部１１３で山折りに折り曲げられて差し込まれることで、写真立て用シート本体１００が写真立てとして組み立てられる。
【００４９】
図２に示すように、立て部１２０には、枠部１１０よりも写真部１３０に近いほうに第２折り部１２２と、枠部１１０と写真部１３０のいずれからも略等しい距離の位置に第３折り部１２３と、枠部１１０との境界に第４折り部１２４と、写真部１３０との境界に第５折り部１２５と、が形成されている。
【００５０】
第１折り部１２２は、写真立て用シート本体１００を折り曲げて組み立てた際に窓用部１１１を接地面ＦＬに対して略垂直にして自立させる第１平面部を形成する（図５  参照）。
また、第２折り部１２３は、写真立て用シート本体１００を折り曲げて組み立てた際に窓用部１１１を接地面ＦＬに対して斜め上向きにして自立させる第２平面部を形成する（図６  参照）。
第３折り部１２４と、第４折り部１２５とは、写真立て用シート本体１００を折り曲げて写真立てとするときに、写真部１３０が枠部１１０の内側に位置するように、それぞれ山折りで折り曲げられる。
【００５１】
図２に示すように、枠部１１０と写真部１３０には、第１方向に突出する第１突出部１１６、第２突出部１３５が形成されている。枠部１１０に形成された第１突出部１１６の突出量Ｃは、写真部１３０に形成された第２突出部１３５の突出量Ｄよりも大きくなっている（Ｃ＞Ｄ）。これにより、写真立て用シート本体１００を写真立てとして組み立てて、接地面ＦＬに対して第１突出部１１６を接地部として自立させた場合（図１２参照）に、第２突出部１３５が第１突出部１１６と重なって裏面側から補強した状態で写真部１３０が縦姿勢で斜め上向きになる。
そして、第１突出部１１６の突出量Ｃを変更することで写真部１３０の斜め上向き姿勢を変更することができる。
尚、第１突出部１１６及び第２突出部１３５が形成されていない側を接地部として自立させた場合には、写真部１３０が縦姿勢で水平向きになる（図１３参照）。
【００５２】
「変形例」
図４は変形例に係る写真立て用シート本体１００Ａを示す図である。
写真立て用シート本体１００Ａは、枠部１１０Ａと写真部１３０Ａには、第１方向に突出する突出部が形成されていない。そのために、写真立て用シート本体１００Ａを写真立てとして組み立てて、接地面ＦＬに対して枠部１１０Ａ、立て部１２０、写真部１３０Ａの各端面で構成される開口部を接地部として自立させた場合に、写真部１３０が縦姿勢で水平向きになる。
【００５３】
図２に示すように、写真部１３０には、印刷される写真の領域に沿うように写真立て用シート本体１００の表面から裏面に貫通する分離可能なミシン目１３１が形成されている。これにより、写真部１３０に印刷された画像を写真立てから分離して単独の写真とすることができる。
また、写真部１３０の両端側には、写真立て用シート本体１００の表面から裏面に貫通するスリット部１３２が形成されている。スリット部１３２には、写真部１３０に画像を印刷することなく、印刷された写真をはめ込んで鑑賞することができる。
【００５４】
（２）写真立て
図５は横姿勢の写真立て２００を示す斜視図、図６は横姿勢の写真立て２００を示す正面図、図７は縦姿勢の写真立て２００を示す平面図、図８は縦姿勢の写真立て２００を示す斜視図、図９は縦姿勢の写真立て２００を示す正面図である。
写真立て２００は、枠部１１０、立て部１２０、写真部１３０からなる写真立て用シート本体１００を、第１折り部１１３、第４折り部１２４、第５折り部１２５、及び第２折り部１２２又は第３折り部１２３で山折りに折り曲げて、立て部１２０に形成されたスリット部１２１に枠部１１０に形成された差込部１１５を差し込むことで、接着剤等を用いることなく接地面に対して自立可能な写真立てとして組み立てられる。
【００５５】
このように写真立て用シート本体１００を、それぞれの折り部で折り曲げて形成された写真立て２００は、写真部１３０が枠部１１０の窓用部１１１に対して凹面状に湾曲した状態になり、写真を立体的に見栄え良く鑑賞することができる。
【００５６】
また、写真立て２００は全体が三角柱状であり、三角柱の上面及び底面に相当する領域は、写真部１３０が外部に繋がる第１の開口２１０、第２の開口２２０となる。
具体的には、第１の開口２１０は、第１の平面部としての枠部１１０の第１突出部１１６を有する底辺と、第２折り部１２２又は第３折り部１２３で折り曲げられた２以上の第２の平面部としての立て部１２０の底辺とで形成されている。
第２の開口２２０は、枠部１１０の第１突出部１１６を有しない底辺と、第２折り部１２２又は第３折り部１２３で折り曲げられた立て部１２０の底辺とで形成されている。
【００５７】
第１の開口２１０、第２の開口２２０は、写真部１３０が横姿勢で鑑賞すべき横姿勢用画像（ランドスケープ画像）の場合（図５、図６  参照）には、枠部１１０の側方の両方に形成され、写真部１３０が縦姿勢で鑑賞すべき縦姿勢用画像（ポートレート画像）の場合（図７、図８  参照）には、図９に示すように、枠部１１０の上方に形成される。これにより、写真立て２００は、接地面ＦＬに対して自立した状態で、外部から写真部１３０に光が入りやすくなり写真が明るく見える。
【００５８】
図１０は窓用部１１１が略垂直の状態で自立する横姿勢で鑑賞する写真立てを示す側面図、図１１は窓用部１１１が斜め上向きの状態で自立する横姿勢で鑑賞する写真立てを示す側面図である。
写真立て２００は、立て部１２０の第２折り部１２２で折り曲げられた場合には、図１０に示すように、立て部１２０の第２折り部１２２と第５折り部１２５で区画される第１の接地部１２０Ａが接地面ＦＬに接地して窓用部１１１が略垂直の状態で自立する。
また、立て部１２０の第３折り部１２３で折り曲げられた場合には、図１１に示すように、立て部１２０の第３折り部１２３と第５折り部１２５で区画される第２の接地部１２０Ｂが接地面ＦＬに接地して窓用部１１１が斜め上向きの状態で自立する。
このように、写真立て２００は、立て部１２０の第２折り部１２２又は第３折り部１２３で折り曲げることで横姿勢の写真の鑑賞角度を変更することができる。
【００５９】
図１２は窓用部１１１が斜め上向きの状態で自立する縦姿勢で鑑賞する写真立てを示す側面図、図１３は窓用部１１１が略垂直の状態で自立する縦姿勢で鑑賞する写真立てを示す側面図である。
写真立て２００は、縦姿勢で鑑賞する場合には、図１２に示すように、第１の開口２１０又は第２の開口２２０が第２の開口２２０側が接地面ＦＬに接地して窓用部１１１が略垂直の状態で自立する第１の態様と、図１３に示すように、第１の開口２１０が接地面ＦＬに接地して窓用部１１１が斜め上向きの状態で自立する第２の態様と、を選択することで縦姿勢の写真の鑑賞角度を変更することができる。
【００６０】
（３）写真立て用シートへの画像印刷
図１４は本実施形態に係る写真立て用シートに画像割付を行い写真部に画像を印刷する印刷装置１の内部構成を示す断面模式図、図１５は印刷装置１の機能構成を示すブロック図である。
以下、図面を参照しながら、印刷装置１の全体構成及び動作を説明する。
【００６１】
（３．１）画像形成装置の全体構成
印刷装置１は、画像形成部１０と、画像形成部１０の下部に装着された給紙装置２０と、画像形成部１０の上部に装着された読取装置３０と、操作表示部４０と、画像処理部５０と、システム制御装置６０と、を備えて構成され、写真立て用シートＰＳを給送して取り込んだ画像を割り付けて印刷する画像印刷機能を有している。
【００６２】
画像形成部１０は、露光装置１２、感光体ユニット１３、現像装置１４、転写装置１５、定着装置１６、を備えて構成され、画像処理部５０から受け取った画像情報を給紙装置２０から送り込まれた用紙上にトナー像として形成する。
【００６３】
画像形成部１０の底部には、用紙トレイ２１、２２を有する給紙装置２０が設けられ、更に給紙装置２０の下方には、上下方向に多段（本実施形態においては２段）に配置され、用紙Ｐを収容する用紙トレイＴ１、Ｔ２からなるトレイモジュールＴＭが接続されて画像形成部１０に対する用紙供給を行う。
【００６４】
用紙トレイ（以下、特定トレイという）２１は、図１に示すように、画像形成部１０の転写装置１５までの搬送経路が、他の用紙トレイ２２、Ｔ１、Ｔ２に比べて最も短く、かつ搬送経路の曲率が最も小さくなるように配置され、本実施形態における写真立ての写真部１３０の画像印刷に用いられる写真立て用シートＰＳを収容して画像形成部１０への用紙供給を行う。
【００６５】
画像形成部１０の上方には、読取装置３０が配置されている。読取装置３０は、ＣＣＤ（Charge Coupled Device）ラインセンサ等のイメージセンサ（不図示）を備え、原稿台上に載置された原稿の画像を読み取り、電気信号である画像データに変換する。
【００６６】
読取装置３０の前面側には、ユーザーインターフェイスとしての操作表示部４０が配置されている。操作表示部４０は、液晶表示パネル、各種操作ボタン、タッチパネル等を組み合わせて構成され、印刷装置１の使用者は、操作表示部４０を介して各種の設定や指示の入力を行う。また、液晶表示パネルを介して印刷装置１の使用者へ各種情報を表示する。
【００６７】
画像処理部５０は、外部機器（デジタルカメラ、携帯端末、パーソナルコンピュータ等等）から取り込まれた印刷情報から画像データを生成するとともに、読取装置３０によって入力された画像データを用いて種々の画像処理を行う。
【００６８】
（３．２）画像形成部１０の構成及び動作
このような構成の印刷装置１では、画像形成のタイミングに合わせて給紙装置２０から、印刷ジョブで指定された用紙が画像形成部１０へ送り込まれる。
【００６９】
感光体ユニット１３は、給紙装置２０の上方に、それぞれが並列して設けられ、回転駆動する感光体ドラム３１を備えている。露光装置１２により静電潜像が形成されたそれぞれの感光体ドラム３１上には、それぞれの現像装置１４によってイエロー（Ｙ）、マゼンタ（Ｍ）、シアン（Ｃ）、黒（Ｋ）のトナー像が形成される。
【００７０】
各感光体ユニット１３の感光体ドラム３１に形成された各色トナー像は、転写装置１５の中間転写ベルト５１上に順次静電転写（一次転写）され、各色トナーが重畳された重畳トナー像が形成される。中間転写ベルト５１上の重畳トナー像は、レジストローラ対２４から送り出され、搬送ガイドにより案内された用紙Ｐに二次転写ローラ５２によって一括転写される。  
【００７１】
定着装置１６は一対の加熱モジュール１６Ａと加圧モジュール１６Ｂの圧接領域によって定着ニップ部ＮＰ（定着領域）が形成される。
転写装置１５においてトナー像が一括転写された用紙は、トナー像が未定着の状態で搬送ガイドを介して定着装置１６の定着ニップ部ＮＰに搬送され、一対の加熱モジュール１６Ａと加圧モジュール１６Ｂにより、圧着と加熱の作用でトナー像が定着される。
【００７２】
定着トナー像が形成された用紙は、搬送ガイドによってガイドされ、排出ローラ対６９から印刷装置１上面の排紙トレイ部ＴＲ１に排出・収容される。
尚、自動で両面印刷を行う場合には、用紙の表裏が反転され、再び画像形成部１０へ送り込まれる。そして、トナー像の転写および転写像の定着が行われた後に、排紙トレイ部ＴＲ１に排出されることになる。  
【００７３】
（３．３）システム制御装置の機能構成と動作
印刷装置１は、印刷制御部６１、画像入力部６２、用紙割付部６３、画像データ補正部６４を含むシステム制御装置６０を備え、メモリに記憶された制御プログラムを実行して、印刷装置１全体の動作制御を行う。
【００７４】
印刷制御部６１は、給紙装置２０との間の情報授受についての制御の他に、画像形成部１０が備える露光装置１２、感光体ユニット１３、現像装置１４、転写装置１５、定着装置１６等に対して、動作制御指示を与える。
【００７５】
画像入力部６２は、外部機器との間で情報授受を行う。具体的には、操作表示部４０を介して受け付けた画像取得指示により、接続された外部機器から画像データの取り込みを行う。
【００７６】
用紙割付部６３は、画像入力部６２で取り込まれた画像データを指定された写真立て用シートＰＳの写真部１３０に対して割り付けるように配置する。例えば、操作表示部４０を介して写真立て用シートＰＳへの写真印刷の指定を受け付けた場合、取り込んだ画像データを指定された写真立て用シートＰＳの写真部１３０上へ横姿勢用画像（ランドスケープ画像）又は縦姿勢用画像（ポートレート画像）として配置するように画像の配置方法を規定する。
【００７７】
画像データ補正部６４は、操作表示部４０を介して縁なし印刷の指定を受け付けた場合、取り込まれた画像の端部の一定領域における画像が白紙でなかった場合、各端部に対して端部の一定領域における画像データを引き伸ばすように拡大する補正を行う。具体的には、取り込んだ画像の端部の一定領域における画像が一定の均一画像であった場合、各端部に対して端部の一定領域における画像データを引き伸ばすように拡大する補正を行う。
【００７８】
（３．４）写真印刷
図１６は印刷装置１において写真印刷を行う動作の流れを示すフローチャート、図１７は写真印刷を行う場合の操作表示部４０の表示例を示す図、図１８は写真印刷を行う場合の動作の流れに従って操作表示部４０に表示される表示例を示す図、図１９は取り込んだ画像データの写真立て用シートＰＳへの割り付けを示す図である。
以下、図面を参照しながら、印刷装置１が行う写真印刷について説明する。
【００７９】
印刷装置１は、図１７に示すように、操作表示部４０に通常の画像コピー、プリント、スキャン等に加えていろいろなプリントを受け付ける印刷選択表示を有し、使用者は、写真印刷を行う場合、操作表示部４０を介して写真印刷を選択することができる。
【００８０】
写真印刷を受け付けると（Ｓ１０１：Ｙｅｓ）、画像入力部６２は、外部機器から画像データを読み出し（Ｓ１０２）、図１８（ａ）に示すように、操作表示部４０に印刷する候補写真のサムネイルを表示する（Ｓ１０３）。
【００８１】
サムネイル表示された画像から、特定の画像が選択されると（Ｓ１０４：Ｙｅｓ）、図１８（ｂ）に示すように、選択された画像を横姿勢及び２種類の縦姿勢で表示する（Ｓ１０５）。
そして、横姿勢及び２種類の縦姿勢のいずれかの指示を受け付け（Ｓ１０６：Ｙｅｓ）、縁なし印刷の指定の有無を判断する（Ｓ１０７）。縁なし印刷が指定された場合（Ｓ１０７：Ｙｅｓ）には、画像データを引き伸ばすように拡大補正し（Ｓ１０８）、図１９に一例として示すように、印刷されるべき写真立て用シートＰＳの写真部１３０に指定された姿勢で画像を割り付ける（Ｓ１０９）。
【００８２】
そして、写真立て用シートＰＳを収容する特定トレイ２１を選択して（Ｓ１１０）、写真印刷を行う（Ｓ１１１）。
これにより、写真立ての鑑賞態様に応じて、写真部１３０に横姿勢の写真、２種類の縦姿勢の写真のいずれかを印刷することができる。
【００８３】
本実施形態において、印刷装置１として画像形成機能を備えたカラー画像形成装置について説明したが、印刷装置１としては、カラープリンタが接続された携帯端末やパーソナルコンピュータであってもよい。
【符号の説明】
【００８４】
１・・・印刷装置
１０・・・画像形成部
２０・・・給紙装置
２１・・・特定トレイ
３０・・・読取部
４０・・・操作表示部
５０・・・画像処理部
６０・・・システム制御部
６１・・・印刷制御部
６２・・・画像入力部
６３・・・用紙割付部  
６４・・・画像データ補正部
ＰＳ・・・写真立て用シート
１００・・・写真立て用シート本体
１１０・・・枠部
１２０・・・立て部
１３０・・・写真部
【図１】
2019187568.tif 000003
【図２】
2019187568.tif 000004
【図３】
2019187568.tif 000005
【図４】
2019187568.tif 000006
【図５】
2019187568.tif 000007
【図６】
2019187568.tif 000008
【図７】
2019187568.tif 000009
【図８】
2019187568.tif 000010
【図９】
2019187568.tif 000011
【図１０】
2019187568.tif 000012
【図１１】
2019187568.tif 000013
【図１２】
2019187568.tif 000014
【図１３】
2019187568.tif 000015
【図１４】
2019187568.tif 000016
【図１５】
2019187568.tif 000017
【図１６】
2019187568.tif 000018
【図１７】
2019187568.tif 000019
【図１８】
2019187568.tif 000020
【図１９】
2019187568.tif 000021